(57)【要約】      （修正有）【課題】監視領域の火災による絶対温度と相対温度の両方を加味した特徴的な変化を学習的アルゴリズムを利用して判断することにより、火災の検出時間を短縮すると共に非火災報要因に対する耐力を向上させる。【解決手段】温度入力部１６は、温度センサ１２で検出された監視領域の検出温度に基づいて絶対温度Ｔと相対温度ΔＴを生成し、同時に階層型機械学習部２０に入力して火災又は非火災を識別する。学習制御部２４は火災実験等で得られた火災がラベリングされた絶対温度と相対温度を含む火災教師データと、非火災実験で得られた非火災がラベリングされた絶対温度と相対温度を含む非火災教師データを階層型機械学習部２０に入力して学習させる。階層型機械学習部２０に入力する絶対温度Ｔは温度センサ１２の検出温度そのものであり、相対温度ΔＴは温度センサ１２の検出温度から通常監視状態の平均温度を基準温度として差し引いた差分温度である。【選択図】図１
2020140277.tif 000002
【特許請求の範囲】
【請求項１】
火災を検知する火災検知器であって、
監視領域の所定の情報の検出値を検出するセンサを１又は複数有する検出部と、
前記センサの内、少なくとも１つは絶対検出値相対検出値取得用センサであるとともに、
前記絶対検出値相対検出値取得用センサで検出された監視領域の所定期間の検出値に基づいて基準検出値を生成する基準検出値生成部と、
前記絶対検出値相対検出値取得用センサで検出された監視領域の所定時点の検出値である絶対検出値と、前記所定時点の検出値と前記基準検出値の差分である相対検出値と、
を生成する検出値入力手段と、
前記検出値入力手段で生成された前記絶対検出値と前記相対検出値が入力されて火災又は非火災又は通常監視状態を識別する火災識別手段と、
が設けられたことを特徴とする火災検知器。
【請求項２】
請求項１記載の火災検知器に於いて、
前記火災検知器は更に、
火災がラベリングされた前記絶対検出値と前記相対検出値を含む火災教師データと、非火災がラベリングされた前記絶対検出値と前記相対検出値を含む非火災教師データと、通常監視状態がラベリングされた前記絶対検出値と前記相対検出値を含む通常監視状態教師データと、を機械学習手段に入力して予め学習する学習制御手段を備え、
前記火災識別手段は前記学習制御手段による学習結果に基づき識別を行うことを特徴とする火災検知器。
【請求項３】
請求項２記載の火災検知器に於いて、
前記絶対検出値相対検出値取得用センサは温度センサであり、
前記基準検出値は前記温度センサの検出温度に基づいて生成されるものであり、
前記基準検出値生成部は基準温度生成部であり、
前記絶対検出値は絶対温度であり、
前記相対検出値は相対温度であり、
前記検出値入力手段は温度入力手段である
ことを特徴とする火災検知器。
【請求項４】
請求項３記載の火災検知器に於いて、
前記温度入力手段は、
前記絶対温度と前記相対温度を一つのデータセットとして前記火災識別手段に入力することを特徴とする火災検知器。
【請求項５】
請求項３記載の火災検知器に於いて、前記基準温度生成部は、前記温度センサによる基準温度生成時点の所定時間前から基準温度生成時点までの検出温度の日単位又は所定の時間単位の平均温度を前記基準温度として生成することを特徴とする火災検知器。
【請求項６】
請求項３記載の火災検知器に於いて、
前記学習制御手段は、
所定の火災実験により前記温度入力手段で生成された前記絶対温度と前記相対温度に火災がラベリングされた前記火災教師データと、
所定の非火災実験により前記温度入力手段で生成された前記絶対温度と前記相対温度に非火災がラベリングされた前記非火災教師データと、
前記所定の火災実験及び又は非火災実験により所定の状態に至るまでに前記温度入力手段で生成された前記絶対温度と前記相対温度に通常監視状態がラベリングされた前記通常監視状態教師データと、
を記憶し、
当該記憶した前記火災教師データと前記非火災教師データと前記通常監視状態教師データを用いて前記機械学習手段を学習することを特徴とする火災検知器。
【請求項７】
温度入力手段により、温度センサで検出された監視領域の検出温度に基づいて絶対温度と相対温度を生成し、
階層型機械学習手段により、前記温度入力手段で生成された前記絶対温度と前記相対温度を同時に入力して火災又は非火災を判断し、
学習制御手段により、火災がラベリングされた前記絶対温度と前記相対温度を含む火災教師データと、非火災がラベリングされた前記絶対温度と前記相対温度を含む非火災教師データと、通常監視状態がラベリングされた前記絶対温度と前記相対温度を含む通常監視状態教師データと、
を前記機械学習手段に入力して予め学習することを特徴とする火災検知方法。
【発明の詳細な説明】
【技術分野】
【０００１】
本発明は、監視領域の状態に基づき火災を検知する火災検知器及び火災検知方法に関する。
【背景技術】
【０００２】
従来、火災による監視領域の状態を検出して火災発報する火災感知器としては、煙感知器や熱感知器、さらに熱感知器では定温式熱感知器と差動式熱感知器が知られている。定温式熱感知器は、検出温度が所定の閾値温度に達したときに火災を検知して発報する。差動式熱感知器は、所定の閾値を超える温度上昇を検知して発報する。
【先行技術文献】
【特許文献】
【０００３】
【特許文献１】特開２０００−１９４９６７号公報
【特許文献２】特開２００６−２１５８６５号公報
【特許文献３】特開２０１８−１２５０１２号公報
【発明の概要】
【発明が解決しようとする課題】
【０００４】
しかしながら、このような従来の定温式熱感知器にあっては、燻焼火災のように監視領域の温度が高くなりにくい火災については発報するまでに時間がかかる問題がある。また、従来の煙感知器にあっては、燻焼火災を検出できるが、湯気と燻焼火災が似通っていることから、非火災報を起し易いという問題がある。また、差動式熱感知器にあっては、湯気などによる温度上昇と燻焼火災による温度上昇が似通っていることから、区別できないという問題がある。
【０００５】
この問題を解決するため定温式熱感知器と差動式熱感知器の両方の機能を設けた複合型熱感知器も実用化されているが、両者の論理和を取ると、何れか一方の火災検知が行われた時に火災発報することで燻焼火災に対する火災の検知遅れは防止できるが、非火災報の問題は解消されず、また、両者の論理積をとると、非火災報は防止できるが、燻焼火災に対する火災の検知遅れは解消されないという問題がある。
【０００６】
即ち、従来の定温式熱感知器や差動式熱感知器や煙感知器は、検出温度や温度変化や煙濃度がある閾値を超えると発報するという火災判断を行っているため、様々なタイミングによって発報のタイミングが遅れたり、非火災報を起したりするという問題があり、両者の論理和や論理積をとるように単純に組み合わせても問題は十分に解決されない。
【０００７】
本発明は、監視領域の火災による検出値から絶対値と相対値の両方を加味した特徴的な変化を特に学習的アルゴリズムを利用して判断することにより、火災の検出時間を短縮すると共に非火災報要因に対する耐力を向上させる火災検知器及び火災検知方法を提供することを目的とする。
【課題を解決するための手段】
【０００８】
（絶対検出値と相対検出値による火災識別）
本発明は、火災を検知する火災検知器であって、
監視領域の所定の情報の検出値を検出するセンサを１又は複数有する検出部と、
センサの内、少なくとも１つは絶対検出値相対検出値取得用センサであるとともに、
絶対検出値相対検出値取得用センサで検出された監視領域の所定期間の検出値に基づいて基準検出値を生成する基準検出値生成部と、
絶対検出値相対検出値取得用センサで検出された監視領域の所定時点の検出値である絶対検出値と、所定時点の検出値と前期基準検出値の差分である相対検出値と、を生成する検出値入力手段と、
検出値入力手段で生成された絶対検出値と相対検出値が入力されて火災又は非火災又は通常監視状態を識別する火災識別手段と、
が設けられたことを特徴とする。
【０００９】
（ＡＩによる学習）
火災検知器は更に、
火災がラベリングされた絶対検出値と相対検出値を含む火災教師データと、非火災がラベリングされた絶対検出値と相対検出値を含む非火災教師データと、通常監視状態がラベリングされた絶対検出値と相対検出値を含む通常監視状態教師データと、を機械学習手段に入力して予め学習する学習制御手段を備え、
火災識別手段は学習制御手段による学習結果に基づき識別を行う。
【００１０】
（温度に基づく火災検知）
絶対検出値相対検出値取得用センサは温度センサであり、
基準検出値は温度センサの検出温度に基づいて生成されるものであり、
基準検出値生成部は基準温度生成部であり、
絶対検出値は絶対温度であり、
相対検出値は相対温度であり、
検出値入力手段は温度入力手段である。
【００１１】
（温度入力手段）
温度入力手段は、
絶対温度と相対温度を一つのデータセットとして火災識別手段に入力する。
【００１２】
（基準温度の生成）
基準温度生成部は、温度センサによる基準温度生成時点の所定時間前から基準温度生成時点までの検出温度の日単位又は所定の時間単位の平均温度を基準温度として生成する。
【００１３】
（火災実験による教師データの生成）
学習制御手段は、所定の火災実験により温度入力手段で生成された絶対温度と相対温度に火災がラベリングされた火災教師データと、所定の非火災実験により温度入力手段で生成された絶対温度と相対温度に非火災がラベリングされた非火災教師データと、所定の火災実験及び又は非火災実験により所定の状態に至るまでに温度入力手段で生成された絶対温度と相対温度に通常監視状態がラベリングされた通常監視状態教師データと、を記憶し、当該記憶した火災教師データと非火災教師データと通常監視状態教師データを用いて機械学習手段を学習する。
【００１４】
（火災検知方法）
本発明は火災検知方法であって、
温度入力手段により、温度センサで検出された監視領域の検出温度に基づいて絶対温度と相対温度を生成し、
階層型の機械学習手段により、温度入力手段で生成された絶対温度と相対温度を同時に入力して火災又は非火災を判断し、
学習制御手段により、火災がラベリングされた絶対温度と相対温度を含む火災教師データと、非火災がラベリングされた絶対温度と相対温度を含む非火災教師データと、通常監視状態がラベリングされた絶対温度と相対温度を含む通常監視状態教師データと、を機械学習手段に入力して予め学習することを特徴とする。これ以外の火災検知方法の特徴は、火災検知器の場合と同様になる。
【発明の効果】
【００１５】
（基本的な効果）
本発明は、火災検知器であって、監視領域の所定の情報の検出値を検出するセンサを１又は複数有する検出部と、センサの内、少なくとも１つは絶対検出値相対検出値取得用センサであるとともに、絶対検出値相対検出値取得用センサで検出された監視領域の所定期間の検出値に基づいて基準検出値を生成する基準検出値生成部と、絶対検出値相対検出値取得用センサで検出された監視領域の所定時点の検出値である絶対検出値と、所定時点の検出値と前期基準検出値の差分である相対検出値と、を生成する検出値入力手段と、検出値入力手段で生成された絶対検出値と相対検出値が入力されて火災又は非火災又は通常監視状態を識別する火災識別手段と、が設けられたため、監視領域の検出値から絶対値と相対値の両方を加味することで、火災状態と非火災状態との特徴的な変化を識別することが可能となり、火災の検出時間を短縮すると共に非火災報要因に対する耐力を向上させることができる。
【００１６】
また、通常監視状態と非火災を分けて識別可能とすることで、通常監視状態と非火災で異なる絶対値と相対値について一つの火災でない状態としてまとめた識別を行わないので、通常監視状態と非火災それぞれの識別精度が向上し、結果として火災でない状態の識別精度が向上する。
【００１７】
（ＡＩによる学習の効果）
また、火災検知器は更に、火災がラベリングされた絶対検出値と相対検出値を含む火災教師データと、非火災がラベリングされた絶対検出値と相対検出値を含む非火災教師データと、通常監視状態がラベリングされた絶対検出値と相対検出値を含む通常監視状態教師データと、を機械学習手段に入力して予め学習する学習制御手段を備え、火災識別手段は学習制御手段による学習結果に基づき識別を行うため、学習制御により単純なルール化が困難であるような火災状態と非火災状態と通常監視状態の特徴的な変化を識別可能になる。また、通常監視状態と非火災をそれぞれ異なる識別対象として学習することで、より識別精度が向上するように学習できる。
【００１８】
（温度に基づく火災検知）
絶対検出値相対検出値取得用センサは温度センサであり、基準検出値は温度センサの検出温度に基づいて生成されるものであり、基準検出値生成部は基準温度生成部であり、絶対検出値は絶対温度であり、相対検出値は相対温度であり、検出値入力手段は温度入力手段であるため、例えば、機械学習手段を絶対温度のみで学習させた場合には、火災及び非火災を識別する精度が絶対温度によって左右される恐れがあるが、通常監視状態からの温度変化である相対温度を学習させる要素に加えることで、絶対温度に対する依存性を改善することができる。また、機械学習手段に相対温度のみを学習させると、火災と非火災要因の区別がつきづらくなるが、絶対温度を学習させる要素に加えることで、火災と非火災要因を区別する精度を高めることができる。通常監視状態において特に変化の大きい温度について絶対温度と相対温度を検出するようにすることで、絶対温度のみを検出とする際で発生する周囲温度の変化による非火災を誤って火災として検出することを防ぐことが可能なる。
【００１９】
（温度入力手段の効果）
また、温度入力手段は、絶対温度と相対温度を一つのデータセットとして火災識別手段に入力するようにしたため、監視領域に設置した温度センサによる検出温度から、
火災識別手段に入力する絶対温度と相対温度のデータセットをリアルタイムで生成して入力することで、絶対温度と相対温度を同時に機械学習手段に入力して火災又は非火災を識別できる。
【００２０】
（基準温度の生成による効果）
また、基準温度生成部は、温度センサによる基準温度生成時点の所定時間前から基準温度生成時点までの検出温度の日単位又は所定の時間単位の平均温度を基準温度として生成するようにしたため、通常監視状態の温度を示す基準温度を、監視環境温度の日変化や時間変化に追従して生成することで、相対温度を正確に生成して絶対温度との同時入力により火災又は非火災を高い精度で識別することができる。
【００２１】
（火災実験による教師データの生成の効果）
また、学習制御手段は、所定の火災実験により温度入力手段で生成された絶対温度と相対温度に火災がラベリングされた火災教師データと、所定の非火災実験により温度入力手段で生成された絶対温度と相対温度に非火災がラベリングされた非火災教師データと、所定の火災実験及び又は非火災実験により所定の状態に至るまでに温度入力手段で生成された絶対温度と相対温度に通常監視状態がラベリングされた通常監視状態教師データと、を記憶し、当該記憶した火災教師データと非火災教師データと通常監視状態教師データを用いて機械学習手段を学習するようにしたため、例えば国際規格で定めた火災実験による温度センサの検出温度から生成された絶対温度と相対温度の組に火災をラベリングして火災教師データとして記憶し、また、火災の代わりにポットやシャワーから湯気を出して行う非火災実験による温度センサの検出温度から生成された絶対温度と相対温度の組に非火災をラベリングして非火災教師データとして記憶することで、機械学習手段の学習に使用する火災及び非火災の教師データを効率良く大量に収集することができ、収集した火災及び非火災の教師データを使用して機械学習手段を適切に学習させることができる。
【００２２】
また、火災実験や非火災実験を行う際に生じる、例えば火災感知器のセンサが何らかの検出を行うような火災や非火災とみなす所定の状態になるまでの温度センサの検出温度から生成された絶対温度と相対温度の組に通常監視状態をラベリングして教師データとして記憶することで、機械学習手段の学習に使用する通常監視状態の教師データについても効率良く大量に収集することができる。
【００２３】
なお、本発明による火災検知方法の効果は、前述した火災検知器の効果と同様になる。
【図面の簡単な説明】
【００２４】
【図１】本発明による火災検知装置の実施形態を機能構成で示したブロック図
【図２】図１の相対温度生成部の詳細を示したブロック図
【図３】本実施形態で用いる入力データ、火災教師データ及び非火災教師データのデータ形式を示した説明図
【図４】学習済みの階層型機械学習部を用いた火災検知器の他の実施形態を示したブロック図
【発明を実施するための形態】
【００２５】
［実施形態の基本的な概念］
図１は本発明による火災検知装置の実施形態を機能構成で示したブロック図である。
【００２６】
本発明の火災検知器１０における実施形態の基本的な概念は、温度入力手段として機能する温度入力部１６により温度センサ１２で検出された監視領域の検出温度Ｔに基づいて絶対温度Ｔ（検出温度Ｔそのもの）と相対温度ΔＴ（基準温度に対する温度変化）を生成し、温度入力部１６で生成された絶対温度Ｔと相対温度ΔＴを同時に階層型の機械学習手段として機能する階層型機械学習部２０に入力して火災又は非火災を識別（予測）し、階層型機械学習部２０は、学習制御手段として機能する学習制御部２４により火災がラベリングされた絶対温度Ｔと相対温度ΔＴを含む火災教師データと、非火災がラベリングされた絶対温度Ｔと相対温度ΔＴを含む非火災教師データと、通常監視状態がラベリングされた絶対温度Ｔと相対温度ΔＴを含む通常監視状態教師データを入力して予め学習されている、というものである。
【００２７】
このように階層型機械学習部２０が火災に伴う検出温度そのものである絶対温度Ｔと基準温度に対する温度変化である相対温度ΔＴの両方について火災をラベリングした火災教師データと、非火災をラベリングした非火災教師データと、通常監視状態をラベリングした通常監視状態教師データにより予め学習していることで、学習済みの機械学習部２０に、温度センサ１２による監視領域の検出温度に基づいて生成した絶対温度Ｔと相対温度ΔＴを入力ベクトルとして同時に入力することで、火災による絶対温度Ｔと相対温度ΔＴの両方を加味した特徴を捉えた判断により火災と非火災と通常監視状態を識別することが可能となり、火災の検出時間を短縮すると共に非火災報要因に対する耐力を向上させることができる。
【００２８】
例えば、階層的機械学習部２０を絶対温度Ｔのみで学習させた場合には、火災及び非火災及び通常監視状態を識別する精度が絶対温度Ｔによって左右される恐れがあるが、通常監視状態からの温度変化である相対温度ΔＴを学習させる要素に加えることで、絶対温度Ｔに対する依存性を改善する。また、階層型機械学習部２０に相対温度ΔＴのみを学習させると、火災と非火災要因の区別がつきづらくなるが、絶対温度Ｔを学習させる要素に加えることで、火災と非火災要因を区別する精度を高めることができる。以下、詳細に説明する。
【００２９】
［火災検知器の機能構成］
（火災検知器の概要）
図１に示すように、本実施形態の火災検知器１０は、温度センサ１２、Ａ／Ｄ変換部１４、温度入力部１６、入力切替部１８、階層型機械学習部２０，蓄積判定部２２、学習制御部２４及び学習データ記憶部２６で構成され、例えば、ＣＰＵ、メモリ、各種の入出力ポート等を備えたコンピュータ回路がハードウェアとして使用され、ＣＰＵによるプログラムの実行により温度入力部１６、入力切替部１８、階層型機械学習部２０，蓄積判定部２２、学習制御部２４及び学習データ記憶部２６の機能が実現される。
【００３０】
（温度センサ）
温度センサ１２は、サーミスタや半導体温度検知素子等が使用され、監視領域に設置され、監視領域の温度Ｔを検出して出力する。なお、温度センサ１２は火災検知器１０に内蔵させても良い。
【００３１】
（Ａ／Ｄ変換部）
Ａ／Ｄ変換部１４は温度センサ１２から出力された検出温度のアナログ信号を所定のサンプリング周期毎に所定ビット数のデジタル信号に変換するものであり、サンプリング周期は例えば１秒に設定される。
【００３２】
（温度入力部）
温度入力部１６には絶対温度生成部２８と相対温度生成部３０が設けられる。絶対温度生成部２８はＡ／Ｄ変換部１４でデジタル信号に変換された温度センサ１２の検出温度Ｔをそのまま絶対温度Ｔとして出力する。
【００３３】
相対温度生成部３０は、Ａ／Ｄ変換部１４でデジタル信号に変換された温度センサ１２の検出温度Ｔと所定の基準温度Ｔｒｅｆとの差分温度を相対温度ΔＴとして生成する。
【００３４】
図２は図１の相対温度生成部の詳細を示したブロック図である。図２に示すように、相対温度生成部３０には基準温度生成部３２と減算部３４が設けられる。基準温度生成部３２は、Ａ／Ｄ変換部１４でデジタル信号に変換された温度センサ１２の検出温度Ｔを入力し、通常監視状態（火災や非火災のない状態）の温度として、例えば、日平均又は所定時間平均により平均温度を算出し、この平均温度を基準温度Ｔｒｅｆとして出力する。
【００３５】
減算部３４は、Ａ／Ｄ変換部１４でデジタル信号に変換された温度センサ１２の検出温度Ｔから基準温度生成部３２で生成された基準温度Ｔｒｅｆを差し引いて差分温度（Ｔ−Ｔｒｅｆ）を求め、これを相対温度ΔＴとして出力する。
【００３６】
後述する火災実験と非火災実験の際には実験開始時の初期温度を基準温度Ｔｒｅｆとしても良い。
【００３７】
（入力切替部）
入力切替部１８は温度入力部１６の出力の階層型機械学習部２０と学習制御部２４に対する切替え、及び、学習制御部２４の出力の階層型機械学習部２０に対する学習データの出力の切替えを行う。
【００３８】
即ち、学習制御部２４で教師つき学習データを生成して学習データ記憶部２６に記憶させるときは、温度入力部１６の出力を学習制御部２４の入力に切替え、階層型機械学習部２０を教師付きの学習データで学習するときは、学習制御部２４の出力を階層型機械学習部２０の入力に切替え、更に、監視中は、温度入力部１６の出力を監視中は火災識別手段として機能する階層型機械学習部２０の入力に切り替える。
【００３９】
（階層型機械学習部）
階層型機械学習部２０は、温度入力部１６で生成された絶対温度Ｔと相対温度ΔＴを入力ベクトルとして同時に入力して火災又は非火災又は通常監視状態を識別（予測）する。
【００４０】
本実施形態の階層型機械学習部２０は、例えば、力学系学習木（ＤＬＴ：Ｄｙｎａｍｉｃｓ  Ｌｅａｒｎｉｎｇ  Ｔｒｅｅ）が使用される。力学系学習木（ＤＬＴ）は、木構造を用いた階層型の学習木であり、逐次学習において忘却を抑制でき、汎化能力が高く、学習と予測が高速に行えるといった特徴を持つ。
【００４１】
力学系学習木（ＤＬＴ）は、根となるノードがｎ次元入力空間（本実施形態では絶対温度Ｔと相対温度ΔＴの２次元入力空間）を表現していると考え、根から葉の方へｎ次元（副層）のｄ分木を形成することで、根の入力空間をｄｎ個に分割した各入力空間に葉のノードを１対１に対応させる。そして、その葉のノードを根としてさらにｎ次元ｄ分木の形成をＮ回行うことで形成されるＮ階層ｎ次元ｄ分木の学習木である。
【００４２】
図３は本実施形態で用いる入力データ、火災教師データ及び非火災教師データのデータ形式を示した説明図である。入力データ３６は温度入力部１６で生成された絶対温度Ｔと相対温度ΔＴで構成され、２次元の入力ベクトル（Ｔ，ΔＴ）として階層型機械学習部２０に入力される。
【００４３】
火災教師データ３８は、所定の火災実験等により温度入力部１６で生成された絶対温度Ｔと相対温度ΔＴで構成され、出力ベクトルとして火災がラベリングされている。
【００４４】
非火災教師データ４０は、所定の非火災実験等により温度入力部１６で生成された絶対温度Ｔと相対温度ΔＴで構成され、出力ベクトルとして非火災がラベリングされている。
【００４５】
通常監視状態教師データ４１は、所定の非火災実験等により温度入力部１６で生成された絶対温度Ｔと相対温度ΔＴで構成され、出力ベクトルとして通常監視状態がラベリングされている。
【００４６】
学習時は入力データ３６と火災又は非火災又は通常監視状態の識別結果と教師データのラベリングデータを元に後述する学習制御部により階層型機械学習部２０は学習を行う。
【００４７】
監視中は入力データ３６を元に火災又は非火災又は通常監視状態の識別結果を蓄積判定部２２に出力し、火災の判定を行わせる。
【００４８】
なお、階層型機械学習部２０としては、力学系学習木（ＤＬＴ）以外に適宜の階層型機械学習木を使用することができ、また、学習木以外に、例えば、時系列的な情報の入力に対応した再起型ニューラルネットワーク（ＲＮＮ）等を使用しても良い。
【００４９】
（学習制御部）
学習制御部２４は、火災がラベリングされた絶対温度Ｔと相対温度ΔＴを含む火災教師データと、非火災がラベリングされた絶対温度Ｔと相対温度ΔＴを含む非火災教師データと、通常監視状態がラベリングされた絶対温度Ｔと相対温度ΔＴを含む通常監視状態教師データと、を階層型機械学習部２０に入力して所定の学習アルゴリズムに従って学習させる。
【００５０】
階層型機械学習部２０に力学系学習木（ＤＬＴ）を設けた場合、学習制御部２４は、入力ベクトル（絶対温度Ｔと相対温度ΔＴ）と出力ベクトル（ラベリングされた火災又は非火災）の対を力学系学習木（ＤＬＴ）に入力し、この入出力ベクトルの対に応じて根から入力に対応した葉までのノードを逐次探索して生成する。続いて、探索・作成した全ノード（ノード群）に出力ベクトルの相加平均を保持させることにより、根寄りの粗い入力空間から葉寄りの細かい入力空間までのノードに対し、出力ベクトルを対応づける。
【００５１】
（学習データの生成）
また、学習制御部２４は、階層型機械学習部２０の学習に使用する教師付きの学習データを効率的に生成して学習データ記憶部２６に記憶する機能を備える。
【００５２】
教師付き学習データの生成記憶は、所定の火災実験に基づいて行われる。火災教師データを取得するため、国際規格で定められた木材燻焼（ＴＦ２）やポリウレタン燃焼（ＴＦ４）の火災実験を行い、火源に対し所定距離離れた位置に温度センサ１２を配置し、学習制御部２４は、実験開始から所定時間の亘る検出温度から温度入力部１６により生成される絶対温度Ｔと相対温度ΔＴの組を入力切替部１８から入力し、火災をラベリングして火災教師データとして学習データ記憶部２６に連続的に記憶する。
【００５３】
ここで、絶対温度Ｔと相対温度ΔＴからなる温度データに対する火災のラベリングは、燃焼を開始してから人為的に火災と確認できる時点、又は、所定の温度変化が検知された時点からとし、それ以前の温度データは通常監視状態をラベリングして通常監視状態教師データとして学習データ記憶部２６に連続的に記憶する。
【００５４】
より詳細に説明する。火災実験を開始する際、あらかじめ火災実験である旨を設定しておき、温度センサ１２とは別に一般的な火災検知器を配置し、火災実験を行う。一般的な火災検知器を火災検知器はセンサ値を外部に出力し、一般的な火災検知器によるセンサ値がプリアラームレベルやそれよりも通常状態に近い所定の値を検出するまでは、それ以前の温度データは通常監視状態をラベリングして通常監視状態教師データとして記憶し、以降の温度データは火災実験である旨を設定してあるから非火災でなく火災をラベリングして火災教師データとして記憶する。
【００５５】
また、非火災教師データの生成記憶は、火災実験における火源に代えてポットやシャワー等の水蒸気を発生させ、人為的に非火災と確認できる時点、又は、所定の温度変化が検知された時点から、学習制御部２４は温度入力部１６により出力される絶対温度Ｔと相対温度ΔＴの組を入力切替部１８から入力し、非火災をラベリングして非火災教師データとして学習データ記憶部２６に連続的に記憶する。
【００５６】
より詳細に説明する。非火災実験を開始する際、あらかじめ非火災実験である旨を設定しておき、温度センサ１２とは別に一般的な火災検知器を配置し、非火災実験を行う。一般的な火災検知器を火災検知器はセンサ値を外部に出力し、一般的な火災検知器によるセンサ値がプリアラームレベルやそれよりも通常状態に近い所定の値を検出するまでは、それ以前の温度データは通常監視状態をラベリングして通常監視状態教師データとして記憶し、以降の温度データは非火災実験である旨を設定してあるから火災でなく非火災をラベリングして火災教師データとして記憶する。
【００５７】
このような火災実験及び非火災実験を繰り返すことで、各実験毎にある程度のばらつきをもった火災教師データ及び非火災教師データ及び通常監視状態教師データを自動的に取得して記憶することができ、十分な量の教師付きデータを準備して階層型機械学習部２０を学習することが可能となり、これによって階層型機械学習部２０による入力ベクトル（Ｔ，ΔＴ）に対する出力ベクトル（火災又は非火災又は通常監視状態）を予測する精度を十分に高めることができる。
【００５８】
なお、階層型機械学習部２０の学習に使用する教師付きデータの収集は、火災実験や非火災実験に限定されず、必要に応じて適宜の手法をとることを妨げない。
【００５９】
（蓄積判定部）
蓄積判定部２２は、階層型機械学習部２０から出力される火災予測信号又は非火災予測信号に対し、所定の蓄積条件を設定し、この蓄積条件が満たされたときに、火災検出信号Ｅ１又は非火災検出信号Ｅ２を出力する。
【００６０】
蓄積判定部２２の蓄積条件は、例えば、火災予測信号又は非火災予測信号の連続出力回数を所定の閾値回数に設定しており、火災予測信号又は非火災予測信号が連続して閾値回数出力されたときに、蓄積条件を満たしたとして火災検出信号Ｅ１又は非火災検出信号Ｅ２を出力する。
【００６１】
また、蓄積判定部２２は、火災予測信号又は非火災検出信号が出力されていないか、所定の蓄積条件を満たしていないときは、通常監視信号Ｅ０を出力している。なお、通常監視信号Ｅ０は必ずしも出力する必要はない。
【００６２】
また、階層型機械学習部２０から出力される通常監視状態予測信号について、通常監視信号Ｅ０を出力しているときは、蓄積判定部２２は特に出力を変更する必要はないが、火災検出信号Ｅ１又は非火災検出信号Ｅ２を出力しているときは、通常監視状態予測信号が連続出力回数を所定の閾値回数を超えたときに火災検出信号Ｅ１又は非火災検出信号Ｅ２の出力を停止する。
【００６３】
［学習済みの火災検知器］
図４は火災識別手段として機能する学習済みの階層型機械学習部を用いた火災検知器の他の実施形態を示したブロック図である。図４に示すように、本実施形態にあっては、学習済みの階層型機械学習部２０を配置しており、このため図１に示した入力切替部１８、学習制御部２４及び学習データ記憶部２６の機能は除かれている、その以外の構成及び機能は図１の実施形態と同じである。
【００６４】
実際の火災報知設備に用いるには、本実施形態による火災識別手段として機能する学習済みの階層型機械学習部２０を設けた火災検知器１０とすることが望ましい。
【００６５】
［本発明の変形例］
（煙濃度とＣＯ濃度の追加）
上記の実施形態に示した火災検知器は、絶対検出値相対検出値取得用センサとして温度センサの検出温度に基づく絶対温度Ｔと相対温度ΔＴを同時に入力しているが、監視領域の所定の情報の検出値を検出するセンサとして警戒区域に煙センサやＣＯセンサを設け、階層型機械学習部に対する入力ベクトルとして、煙濃度やＣＯ濃度を入力ベクトルに加えて階層型機械学習部に入力して火災、非火災を予測するようにしても良い。
【００６６】
また、絶対検出値相対検出値取得用センサとして、温度センサ以外に煙濃度センサやＣＯ濃度センサを採用しても良い。絶対検出値相対検出値取得用センサは一つのみとしても良いが、複数のセンサを。絶対検出値相対検出値取得用センサとしても良い。また、基準検出値を求める際の期間をそれぞれのセンサの特徴に応じた期間としても良い。例えば、温度センサは一日の中でも変動が大きいので基準検出値を求める際の期間を時間や分単位で設定し、煙センサやＣＯセンサは変動が小さいため基準検出値を求める際の期間を日単位で設定する。
【００６７】
煙濃度センサを絶対検出値相対検出値取得用センサとして採用した場合、工場等で通常の環境が悪く、粉塵等の影響で煙の絶対値が常時出ている、例えば３％／ｍがあるような環境に対応可能となる。絶対値として所定１０％／ｍ以上、相対値も所定値１０％／ｍ以上であれば火災として判断するものとし、この環境で、火災で煙が発生して、絶対値が１１％／ｍ、相対値が８％／ｍであるような場合、相対値では所定値１０%/m未満であれば非火災又は監視状態を識別する。
【００６８】
上記の実施形態に示した火災検知器は、学習済みの階層型機械学習部２０を設けた火災検知器１０を実際の火災報知設備に用いるとしているが、これに限らない。例えば、火災検知器の学習により得られた学習済みの階層型機械学習部２０に基づき、絶対値と相対値から火災と非火災と通常監視状態を識別する手法を検討し、監視領域を監視する火災感知器に当該識別手法を採用しても良い。
【００６９】
また、所定の知見を元に検討した識別手法を採用しても良い。例えば、絶対値(絶対温度)が所定値(例えば５０℃)に到達、且つ、相対値(相対温度)も所定値(ΔＴ３０℃)に到達した場合には、火災として判断するものとする。この場合、絶対値(絶対温度)が所定値(例えば５０℃)に到達したが、相対値(相対温度)は所定値(ΔＴ３０℃)未満のΔＴ１０℃である場合には、非火災もしくは監視状態と判断することで火災と非火災を識別することができる。
【００７０】
また、本火災検知器は火災検知器と接続する火災受信機等を介して他の端末による警報を行うようにしても良いし、自らが警報するような形態をとって良い。
【００７１】
非火災の検出は火災の誤検出を防ぐために用いているが、火災受信機を介して防災センター等に送信し、非火災の検出が生じやすい環境である旨を通知して対策等を行う助けとしても良い。
【００７２】
（火災報知設備での配置構成）
また、火災報知設備に対する本発明の火災検知器の配置構成としては、受信機から引き出された伝送路に、伝送機能を備えたアドレス付きの温度センサを接続し、受信機からのポーリングにより温度センサの検出温度を周期的に収集し、図１又は図４に示した火災検知器１０の機能構成を受信機に設け、受信機側で温度センサの検出温度から絶対温度と相対温度を生成して階層型機械学習部に入力して火災又は非火災を予測すれば良い。
【００７３】
（その他）
また、本発明は、その目的と利点を損なうことのない適宜の変形を含み、更に上記の実施形態に示した数値による限定は受けない。
【符号の説明】
【００７４】
１０：火災検知器
１２：温度センサ
１４：Ａ／Ｄ変換部
１６：温度入力部
１８：入力切替部
２０：階層型機械学習部
２２：蓄積判定部
２４：学習制御部
２６：学習データ記憶部
２８：絶対温度生成部
３０：相対温度生成部
３２：基準温度生成部
３４：減算部
３６：入力データ
３８：火災教師データ
４０：非火災教師データ
【図１】
2020140277.tif 000003
【図２】
2020140277.tif 000004
【図３】
2020140277.tif 000005
【図４】
2020140277.tif 000006
【手続補正書】
【提出日】令和2年2月1日(2020.2.1)
【手続補正１】
【補正対象書類名】特許請求の範囲
【補正対象項目名】全文
【補正方法】変更
【補正の内容】
【特許請求の範囲】
【請求項１】
監視領域の状態を検出し、通常監視状態、当該通常監視状態とは異なる火災及び非火災の何れかに対応した信号を出力する火災検知器であって、
前記監視領域の所定の情報の検出値を検出するセンサを１又は複数有し、当該センサの内、少なくとも１つは絶対検出値相対検出値取得用センサである検出部と、
前記絶対検出値相対検出値取得用センサで検出された監視領域の所定期間の検出値に基づいて基準検出値を生成する基準検出値生成部と、
前記絶対検出値相対検出値取得用センサで検出された監視領域の所定時点の検出値である絶対検出値と、前記所定時点の検出値と前記基準検出値の差分である相対検出値と、
を生成する検出値入力手段と、
前記検出値入力手段で生成された前記絶対検出値と前記相対検出値が同時に入力され、前記通常監視状態、前記火災及び前記非火災の何れかを識別する火災識別手段と、
を備えたことを特徴とする火災検知器。
【請求項２】
請求項１記載の火災検知器に於いて、更に、
前記火災識別手段の識別結果を蓄積し、当該蓄積結果に基づき前記通常監視状態、前記火災及び前記非火災の何れかを判定して、当該判定結果に対応した信号を出力する蓄積判定手段を備えたことを特徴とする火災検知器。
【請求項３】
請求項１又は２記載の火災検知器に於いて、更に、
火災がラベリングされた前記絶対検出値と前記相対検出値の組を含む火災教師データと、非火災がラベリングされた前記絶対検出値と前記相対検出値の組を含む非火災教師データと、通常監視状態がラベリングされた前記絶対検出値と前記相対検出値の組を含む通常監視状態教師データと、を機械学習手段に入力して予め学習する学習制御手段を備え、
前記火災識別手段は、前記学習制御手段による学習結果に基づき識別を行うことを特徴とする火災検知器。
【請求項４】
請求項１乃至３の何れかに記載の火災検知器に於いて、
前記絶対検出値相対検出値取得用センサは温度センサであり、
前記基準検出値は前記温度センサの検出温度に基づいて生成されるものであり、
前記基準検出値生成部は基準温度生成部であり、
前記絶対検出値は絶対温度であり、
前記相対検出値は相対温度であり、
前記検出値入力手段は温度入力手段である
ことを特徴とする火災検知器。
【請求項５】
請求項４記載の火災検知器に於いて、
前記温度入力手段は、
前記絶対温度と前記相対温度を一つの組として前記火災識別手段に入力することを特徴とする火災検知器。
【請求項６】
請求項４記載の火災検知器に於いて、前記基準温度生成部は、前記温度センサによる基準温度生成時点の所定時間前から基準温度生成時点までの検出温度の日単位又は所定の時間単位の平均温度を前記基準温度として生成することを特徴とする火災検知器。
【請求項７】
請求項４記載の火災検知器に於いて、
前記学習制御手段は、
所定の火災実験により前記温度入力手段で生成された前記絶対温度と前記相対温度に火災がラベリングされた前記火災教師データと、
所定の非火災実験により前記温度入力手段で生成された前記絶対温度と前記相対温度に非火災がラベリングされた前記非火災教師データと、
前記所定の火災実験及び又は非火災実験により所定の状態に至るまでに前記温度入力手段で生成された前記絶対温度と前記相対温度に通常監視状態がラベリングされた前記通常監視状態教師データと、
を記憶し、
当該記憶した前記火災教師データと前記非火災教師データと前記通常監視状態教師データを用いて前記機械学習手段を学習することを特徴とする火災検知器。
【請求項８】
監視領域の状態を検出し、通常監視状態、当該通常監視状態とは異なる火災及び非火災の何れかに対応した信号を出力する火災検知器の火災検知方法であって、
温度入力手段により、温度センサで検出された監視領域の検出温度に基づいて絶対温度と相対温度を生成し、
学習制御手段により、火災がラベリングされた前記絶対温度と前記相対温度の組を含む火災教師データと、非火災がラベリングされた前記絶対温度と前記相対温度の組を含む非火災教師データと、通常監視状態がラベリングされた前記絶対温度と前記相対温度を含む通常監視状態教師データと、を機械学習手段に入力して予め学習し、
火災識別手段により、前記温度入力手段で生成された前記絶対温度と前記相対温度を同時に入力し、前記学習制御手段による学習結果に基づき通常監視状態、当該通常監視状態とは異なる火災及び非火災の何れであるかを識別し、
蓄積判定手段により、前記火災識別手段の識別結果を蓄積し、当該蓄積結果に基づき前記通常監視状態、前記火災及び前記非火災の何れかを判定して、当該判定結果に対応した信号を出力することを特徴とする火災検知方法。
【手続補正２】
【補正対象書類名】明細書
【補正対象項目名】０００８
【補正方法】変更
【補正の内容】
【０００８】
（絶対検出値と相対検出値による火災識別）
本発明は、監視領域の状態を検出し、通常監視状態、当該通常監視状態とは異なる火災及び非火災の何れかに対応した信号を出力する火災検知器であって、
監視領域の所定の情報の検出値を検出するセンサを１又は複数有し、当該センサの内、少なくとも１つは絶対検出値相対検出値取得用センサである検出部と、
絶対検出値相対検出値取得用センサで検出された監視領域の所定期間の検出値に基づいて基準検出値を生成する基準検出値生成部と、
絶対検出値相対検出値取得用センサで検出された監視領域の所定時点の検出値である絶対検出値と、所定時点の検出値と前期基準検出値の差分である相対検出値と、を生成する検出値入力手段と、
検出値入力手段で生成された絶対検出値と相対検出値が同時に入力され通常監視状態、火災及び非火災の何れかを識別する火災識別手段と、
が設けられたことを特徴とする。
火災検知器は、更に、
火災識別手段の識別結果を蓄積し、当該蓄積結果に基づき通常監視状態、火災及び非火災の何れかを判定して、当該判定結果に対応した信号を出力する蓄積判定手段を備える。
【手続補正３】
【補正対象書類名】明細書
【補正対象項目名】０００９
【補正方法】変更
【補正の内容】
【０００９】
（ＡＩによる学習）
火災検知器は、更に、
火災がラベリングされた絶対検出値と相対検出値の組を含む火災教師データと、非火災がラベリングされた絶対検出値と相対検出値の組を含む非火災教師データと、通常監視状態がラベリングされた絶対検出値と相対検出値の組を含む通常監視状態教師データと、を機械学習手段に入力して予め学習する学習制御手段を備え、
火災識別手段は、学習制御手段による学習結果に基づき識別を行う。
【手続補正４】
【補正対象書類名】明細書
【補正対象項目名】００１１
【補正方法】変更
【補正の内容】
【００１１】
（温度入力手段）
温度入力手段は、
絶対温度と相対温度を一つの組（データセット）として火災識別手段に入力する。
【手続補正５】
【補正対象書類名】明細書
【補正対象項目名】００１４
【補正方法】変更
【補正の内容】
【００１４】
（火災検知方法）
本発明は、監視領域の状態を検出し、通常監視状態、当該通常監視状態とは異なる火災及び非火災の何れかに対応した信号を出力する火災検知器の火災検知方法であって、
温度入力手段により、温度センサで検出された監視領域の検出温度に基づいて絶対温度と相対温度を生成し、
学習制御手段により、火災がラベリングされた絶対温度と相対温度を含む火災教師データと、非火災がラベリングされた絶対温度と相対温度を含む非火災教師データと、通常監視状態がラベリングされた絶対温度と相対温度を含む通常監視状態教師データと、を機械学習手段に入力して予め学習し、
火災識別手段により、温度入力手段で生成された絶対温度と相対温度を同時に入力し、学習制御手段による学習結果に基づき通常監視状態、当該通常監視状態とは異なる火災及び非火災の何れであるかを識別し、
蓄積判定手段により、火災識別手段の識別結果を蓄積し、当該蓄積結果に基づき通常監視状態、火災及び非火災の何れかを判定して、当該判定結果に対応した信号を出力することを特徴とする。これ以外の火災検知方法の特徴は、火災検知器の場合と同様になる。
【手続補正６】
【補正対象書類名】明細書
【補正対象項目名】００１５
【補正方法】変更
【補正の内容】
【００１５】
（基本的な効果）
本発明は、監視領域の状態を検出し、通常監視状態、当該通常監視状態とは異なる火災及び非火災の何れかに対応した信号を出力火災検知器であって、監視領域の所定の情報の検出値を検出するセンサを１又は複数有し、当該センサの内、少なくとも１つは絶対検出値相対検出値取得用センサである検出部と、絶対検出値相対検出値取得用センサで検出された監視領域の所定期間の検出値に基づいて基準検出値を生成する基準検出値生成部と、絶対検出値相対検出値取得用センサで検出された監視領域の所定時点の検出値である絶対検出値と、所定時点の検出値と前期基準検出値の差分である相対検出値と、を生成する検出値入力手段と、検出値入力手段で生成された絶対検出値と相対検出値が同時に入力され、通常監視状態、火災及び非火災の何れかを識別する火災識別手段と、を備えたため、監視領域の検出値から絶対値と相対値の両方を加味することで、火災状態と非火災状態との特徴的な変化を識別することが可能となり、火災の検出時間を短縮すると共に非火災報要因に対する耐力を向上させることができる。
【手続補正７】
【補正対象書類名】明細書
【補正対象項目名】００１７
【補正方法】変更
【補正の内容】
【００１７】
（ＡＩによる学習の効果）
また、火災検知器は、更に、火災がラベリングされた絶対検出値と相対検出値の組を含む火災教師データと、非火災がラベリングされた絶対検出値と相対検出値の組を含む非火災教師データと、通常監視状態がラベリングされた絶対検出値と相対検出値の組を含む通常監視状態教師データと、を機械学習手段に入力して予め学習する学習制御手段を備え、火災識別手段は、学習制御手段による学習結果に基づき識別を行うため、学習制御により単純なルール化が困難であるような火災状態と非火災状態と通常監視状態の特徴的な変化を識別可能になる。また、通常監視状態と非火災をそれぞれ異なる識別対象として学習することで、より識別精度が向上するように学習できる。
【手続補正８】
【補正対象書類名】明細書
【補正対象項目名】００１９
【補正方法】変更
【補正の内容】
【００１９】
（温度入力手段の効果）
また、温度入力手段は、絶対温度と相対温度を一つの組（データセット）として火災識別手段に入力するようにしたため、監視領域に設置した温度センサによる検出温度から、火災識別手段に入力する絶対温度と相対温度の組（データセット）をリアルタイムで生成して入力することで、絶対温度と相対温度を同時に機械学習手段に入力して火災又は非火災を識別できる。
【手続補正９】
【補正対象書類名】明細書
【補正対象項目名】００２７
【補正方法】変更
【補正の内容】
【００２７】
このように階層型機械学習部２０が火災に伴う検出温度そのものである絶対温度Ｔと基準温度に対する温度変化である相対温度ΔＴの両方について火災をラベリングした火災教師データと、非火災をラベリングした非火災教師データと、通常監視状態をラベリングした通常監視状態教師データにより予め学習していることで、学習済みの階層型機械学習部２０に、温度センサ１２による監視領域の検出温度に基づいて生成した絶対温度Ｔと相対温度ΔＴを入力ベクトルとして同時に入力することで、火災による絶対温度Ｔと相対温度ΔＴの両方を加味した特徴を捉えた判断により火災と非火災と通常監視状態を識別することが可能となり、火災の検出時間を短縮すると共に非火災報要因に対する耐力を向上させることができる。
【手続補正１０】
【補正対象書類名】明細書
【補正対象項目名】００５４
【補正方法】変更
【補正の内容】
【００５４】
より詳細に説明する。火災実験を開始する際、あらかじめ火災実験である旨を設定しておき、温度センサ１２とは別に一般的な火災検知器を配置し、火災実験を行う。一般的な火災検知器はセンサ値を外部に出力し、センサ値がプリアラームレベルやそれよりも通常状態に近い所定の値を検出するまでは、それ以前の温度データは通常監視状態をラベリングして通常監視状態教師データとして記憶し、以降の温度データは火災実験である旨を設定してあるから非火災でなく火災をラベリングして火災教師データとして記憶する。
【手続補正１１】
【補正対象書類名】明細書
【補正対象項目名】００５６
【補正方法】変更
【補正の内容】
【００５６】
より詳細に説明する。非火災実験を開始する際、あらかじめ非火災実験である旨を設定しておき、温度センサ１２とは別に一般的な火災検知器を配置し、非火災実験を行う。一般的な火災検知器はセンサ値を外部に出力し、センサ値がプリアラームレベルやそれよりも通常状態に近い所定の値を検出するまでは、それ以前の温度データは通常監視状態をラベリングして通常監視状態教師データとして記憶し、以降の温度データは非火災実験である旨を設定してあるから火災でなく非火災をラベリングして火災教師データとして記憶する。
【手続補正１２】
【補正対象書類名】明細書
【補正対象項目名】００６６
【補正方法】変更
【補正の内容】
【００６６】
また、絶対検出値相対検出値取得用センサとして、温度センサ以外に煙濃度センサやＣＯ濃度センサを採用しても良い。絶対検出値相対検出値取得用センサは一つのみとしても良いが、複数のセンサを絶対検出値相対検出値取得用センサとしても良い。また、基準検出値を求める際の期間をそれぞれのセンサの特徴に応じた期間としても良い。例えば、温度センサは一日の中でも変動が大きいので基準検出値を求める際の期間を時間や分単位で設定し、煙センサやＣＯセンサは変動が小さいため基準検出値を求める際の期間を日単位で設定する。
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
所定の情報の検出値を検出する検出手段を備え、通常監視状態、当該通常監視状態とは異なる火災及び非火災の何れかに対応した信号を出力する火災検知器であって、
所定期間の検出値に基づいて基準検出値を生成する基準検出値生成部と、
所定時点の検出値である絶対検出値と、前記所定時点での検出値と前記所定時点での前記基準検出値との差分である相対検出値と、を生成する検出値入力手段と、
を備え、
前記絶対検出値と前記相対検出値の組を含むデータを教師データとして学習する、
ことを特徴とする火災検知器。
【請求項２】
所定の情報の検出値を検出する検出手段を備え、通常監視状態、当該通常監視状態とは異なる火災及び非火災の何れかに対応した信号を出力する火災検知器の学習方法であって、
所定期間の検出値に基づいて基準検出値を生成し、
所定時点の検出値である絶対検出値を生成し、
前記所定時点での検出値と前記所定時点での前記基準検出値との差分である相対検出値を生成し、
前記絶対検出値と前記相対検出値の組を含むデータを教師データとして学習する、
ことを特徴とする火災検知器の学習方法。
【請求項３】
前記検出値は、少なくとも温度を含むことを特徴とする請求項１記載の火災検知器又は請求項２記載の火災検知方法。
【請求項４】
所定の情報の検出値を検出するセンサを備え、通常監視状態、当該通常監視状態とは異なる火災及び非火災の何れかに対応した信号を出力する火災検知器の学習方法であって、
前記火災感知器とは異なる判定用火災感知器を備え、
火災の教師データを作成する旨を前記火災感知器の学習手段に設定したうえで火災を教育するための事象を発生させ、
前記判定用火災検知器が火災予兆状態を検出するまでの前記センサで取得した検出値を、通常監視状態をラベリングする教師データとして前記学習手段に記憶し、
前記判定用火災検知器が火災予兆状態を検出してからの前記センサで取得した検出値を、火災状態をラベリングする教師データとして前記学習手段に記憶する、
ことを特徴とする火災検知器の学習方法。
【請求項５】
非火災の教師データを作成する旨を前記火災感知器の学習手段に設定したうえで非火災を教育するための事象を発生させ、
前記判定用火災検知器が火災予兆状態を検出するまでの前記センサで取得した検出値を、通常監視状態をラベリングする教師データとして前記学習手段に記憶し、
前記判定用火災検知器が火災予兆状態を検出してからの前記センサで取得した検出値を、非火災状態をラベリングする教師データとして前記学習手段に記憶する、
ことを特徴とする請求項４記載の火災検知器の学習方法。
【手続補正２】
【補正対象書類名】明細書
【補正対象項目名】０００８
【補正方法】変更
【補正の内容】
【０００８】
（絶対検出値と相対検出値による学習）
本発明は、所定の情報の検出値を検出する検出手段を備え、通常監視状態、当該通常監視状態とは異なる火災及び非火災の何れかに対応した信号を出力する火災検知器であって、
所定期間の検出値に基づいて基準検出値を生成する基準検出値生成部と、
所定時点の検出値である絶対検出値と、所定時点での検出値と所定時点での基準検出値との差分である相対検出値と、を生成する検出値入力手段と、
を備え、
絶対検出値と相対検出値の組を含むデータを教師データとして学習する、
ことを特徴とする。
【手続補正３】
【補正対象書類名】明細書
【補正対象項目名】０００９
【補正方法】変更
【補正の内容】
【０００９】
また、本発明は、所定の情報の検出値を検出する検出手段を備え、通常監視状態、当該通常監視状態とは異なる火災及び非火災の何れかに対応した信号を出力する火災検知器の学習方法であって、
所定期間の検出値に基づいて基準検出値を生成し、
所定時点の検出値である絶対検出値を生成し、
所定時点での検出値と所定時点での基準検出値との差分である相対検出値を生成し、
絶対検出値と相対検出値の組を含むデータを教師データとして学習する、
ことを特徴とする。
【手続補正４】
【補正対象書類名】明細書
【補正対象項目名】００１０
【補正方法】変更
【補正の内容】
【００１０】
（温度に基づく火災検知）
検出値は、少なくとも温度を含む。
【手続補正５】
【補正対象書類名】明細書
【補正対象項目名】００１１
【補正方法】変更
【補正の内容】
【００１１】
（火災予兆状態の前後でラベリングを切り替える学習）
また、本発明は、所定の情報の検出値を検出するセンサを備え、通常監視状態、当該通常監視状態とは異なる火災及び非火災の何れかに対応した信号を出力する火災検知器の学習方法であって、
火災感知器とは異なる判定用火災感知器を備え、
火災の教師データを作成する旨を火災感知の学習手段に設定したうえで火災を教育するための事象を発生させ、
判定用火災検知器が火災予兆状態を検出するまでのセンサで取得した検出値を、通常監視状態をラベリングする教師データとして学習手段に記憶し、
判定用火災検知器が火災予兆状態を検出してからのセンサで取得した検出値を、火災状態をラベリングする教師データとして学習手段に記憶する、
ことを特徴とする。
【手続補正６】
【補正対象書類名】明細書
【補正対象項目名】００１２
【補正方法】変更
【補正の内容】
【００１２】
火災検知器の学習方法は、更に、非火災の教師データを作成する旨を火災感知の学習手段に設定したうえで非火災を教育するための事象を発生させ、
判定用火災検知器が火災予兆状態を検出するまでのセンサで取得した検出値を、通常監視状態をラベリングする教師データとして学習手段に記憶し、
判定用火災検知器が火災予兆状態を検出してからのセンサで取得した検出値を、非火災状態をラベリングする教師データとして学習手段に記憶する。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】